(57)【要約】【課題】  カード型デバイス挿抜用スロットを具備する電子機器の展示中に、不審者により、該カードが抜き取られ、あるいは不正なカードが挿入され、機器が不正に使用されることを防止する手段を提供する。【解決手段】  カード挿抜用スロットの開口部６から挿入されたカード７を、機器内部の所定位置に保持することを目的とするロック板３の操作用ノブ２が、挿通し、嵌合するよう穿孔した薄板４を、機器筐体面に膠着、または、密接させ、カードロック機構を拘止し、カードロック機能が容易に解除されることを制限することにより、機器内部の所定位置に保持されたカード７の抜き取り盗難や不正なカードの使用による被害を防止する。【選択図】  図１
2005352810.tif 000002
【特許請求の範囲】
【請求項１】
機器筐体にカード型デバイス挿抜用スロットを具備する電子機器において、前記スロットに挿入されたカードを機器内の所定位置に保持するためのロック機構操作用ノブに、ノブの挿通が可能な孔を形成した薄板を嵌合し、さらに、該薄板を機器筐体面に固着したことを特徴とする電子機器。
【請求項２】
請求項１に記載の電子機器において、該薄板を感圧型接着材により機器筐体面に膠着したことを特徴とする電子機器。
【請求項３】
請求項１に記載の電子機器において、該薄板の対向する一組の縁部に付設したタブを、機器筐体面に配設したタブ嵌入孔に嵌合することにより、該薄板を円筒形状の機器筐体面に密接させた事を特徴とする電子機器。
【発明の詳細な説明】
【技術分野】
【０００１】
本発明は、磁気カードや半導体記憶素子組み込みカードなどのカード型デバイス挿抜用スロットを有する電子機器の展示中に、該カードの抜き取り盗難被害、および、盗難カードや不正なカードの挿入による不正な放送番組視聴などの犯罪被害を未然防止する防犯技術に関する。
【背景技術】
【０００２】
放送の送受信システムへのデジタル化技術の導入に伴い、視聴者による放送番組情報の不正な複製や改変の防止による著作権保護、および、双方向サービス利用や有料放送視聴の許諾などの目的で、特定の視聴者と放送事業者による受信契約に基づく視聴権を認証する手段として、視聴者毎に設定された固有情報を記憶させたカード（以下、カード）を受信機のスロットに挿入するシステムが広く適用されている。
【０００３】
前記の機能を具備する機器を展示中に、前記カードの抜き取り盗難被害、盗難カードや不正なカードの使用による不正な放送番組視聴などの犯罪被害が発生しており、該カード盗難被害の防止手段として、特許公開公報「特開平１０−１７１５５２」に見られるごとく、カードを所定位置に保持するためのロック機構をケンジントンロックにより拘止する発明が、考案されている。
【特許文献１】特開平１０−１７１５５２  「ポートリプリケータ」
【発明の開示】
【発明が解決しようとする課題】
【０００４】
本発明は、カード挿抜用スロットを具備する電子機器の展示中に、不審者により、該スロットからカードが抜き取られ、あるいは該スロットに不正なカードが挿入され、機器が不正に使用されることを防止する手段を提供する。
【課題を解決するための手段】
【０００５】
カード挿抜用スロットの開口部から挿入されたカードを、機器内部の所定位置に保持することを目的とするロック機構の操作用ノブが、挿通し、嵌合するよう穿孔した薄板を、機器筐体面に膠着、または、密接させ、カードロック機構を拘止し、カードロック機能が容易に解除されることを制限することにより、機器内部の所定位置に保持されたカードの抜き取り盗難や不正なカードの使用による被害を防止する。
【発明の効果】
【０００６】
磁気カードや半導体記憶素子組み込みカードなどのカード型デバイス挿抜用スロットを有する電子機器の展示中に、該カードの抜き取り盗難被害、および、盗難カードや不正なカードの使用による不正な放送番組視聴などの犯罪被害を未然防止する。
【発明を実施するための最良の形態】
【０００７】
本発明のカードロック装置の実施形態に関し、図１乃至図７とともに説明する。
図４は、実施例におけるカード挿抜用スロット６、スロット内に挿入されたカード７、カードを機器内部の所定位置に保持するロック板３、および、カード抜去時にロックを解除するためにロック板３を上下に移動させるためのノブ２を示す斜視図である。図１は、第１の実施例において、図４に示すカードロック機構部分の切断線Ｃ−Ｃ’に沿って切断した縦断面図である。
【０００８】
図１は、第１の実施例において、カード挿抜用スロット６を通じ、機器内部の所定位置に装填されたカード７を示している。ロック板３と共に一体に形成されたノブ２が、図中矢印のＤ方向に押下され、カード７を所定位置に保持し、カード７が不用意に引き出せないようロックされている。更にノブ２は、接着材付き拘止板４のノブ挿通孔８に嵌合されている。接着材付き拘止板４の裏面には、感圧接着材５が塗布されており、機器筐体１に膠着され、ノブ２と一体に形成されたロック板３が拘止される。
【０００９】
図２は、第１の実施例において、図中矢印のU方向にノブ２が、一体に形成されたロック板３と共に押し上げられ、カードロックが解除された状態を示し、カード７が、カード挿抜用スロット６を通じ、図中矢印のＰ方向に引き抜き可能な状態を示している。図３は、接着材付き拘止板４の正面図、および、切断線V−V’に沿って切断した縦断面図である。接着材付き拘止板４は、中央付近にノブ２を挿通させるためのノブ挿通孔８を有し、裏面には、感圧接着材５が塗布されている。
【００１０】
前記の第１の実施例では、機器の展示後に該機器から接着材付き拘止板４を除去する際に、接着材付き拘止板４の裏面の接着材が、接着材付き拘止板４から剥離し、該機器筐体１に付着し、機器の外観を損なう場合がある。本発明の第２の実施例では、図５に示す円筒形状の機器筐体面に、図７に示す縦断面が直線で、弾性材料で構成するタブ付き拘止板９を押圧すると共に、タブ付き拘止板９に付設したタブ１０を、図５に示す機器筐体１の２箇所のタブ嵌入孔１１に嵌入することにより、図中矢印のＤ方向に押下されたノブ２と一体のロック板３を拘止する。
【００１１】
図６は、タブ付き拘止板９を除去し、ロック板３と一体に形成されたノブ２を図中矢印のU方向に押し上げ、ロックが解除された状態を示し、カード７が、カード挿抜用スロット６を通じ、図中矢印のＰ方向へ引き抜き可能な状態を示している。
【産業上の利用可能性】
【００１２】
本発明は、放送番組の視聴認証用カードに限定せず、番組の録画録音用の半導体記憶素子を内蔵するカード型記憶デバイス、磁気カード、その他のカードデバイス、および、カード挿抜用スロットを具備する電子機器に適用可能である。
【図面の簡単な説明】
【００１３】
【図１】第１の実施例における、カードロック機構部分の縦断面図で、カードが機器内の所定位置にロックされた状態を示している。
【図２】第１の実施例における、カードロック機構部分の縦断面図で、カードロックが解除され、カードが引き抜き可能な状態を示している。
【図３】第１の実施例において、接着材付き拘止板の正面図、および、切断線Ｖ−Ｖ’に沿って切断した縦断面図である。
【図４】カード挿抜用スロット、カード、およびカードを機器内部の所定位置に保持することを目的とするロック機構を示す斜視図である。
【図５】第２の実施例のカードロック機構部分の縦断面図で、カードが機器内の所定位置にロックされた状態を示している。
【図６】第２の実施例のカードロック機構部分の縦断面図で、カードロックが解除され、カードが引き抜き可能な状態を示している。
【図７】第２の実施例において、ノブを拘止するためのタブ付き拘止板の正面図である。
【符号の説明】
【００１４】
１：機器筐体
２：ノブ
３：ロック板
４：接着材付き拘止板
５：感圧接着材
６：カード挿抜用スロット
７：カード
８：ノブ挿通孔
９：タブ付き拘止板
１０：タブ
１１：タブ嵌入孔
【図１】
2005352810.tif 000003
【図２】
2005352810.tif 000004
【図３】
2005352810.tif 000005
【図４】
2005352810.tif 000006
【図５】
2005352810.tif 000007
【図６】
2005352810.tif 000008
【図７】
2005352810.tif 000009